(57)【要約】【課題】蛍光観察試料と非蛍光観察試料とが混在する場合であっても、これらの確実な分別を簡易に行うことができる顕微鏡装置を提供すること。【解決手段】観察用試料１６，２４に臨んで面的に均一な光を照射する透過用面光源９を有し、少なくとも観察用試料１６，２４を透過した光を用いて観察用試料１６，２４を観察する顕微鏡装置であって、透過用面光源９と観察用試料１６，２４との間に設けられ、透過用面光源９から照射される光の光軸に垂直であって複数の右接眼レンズ１ａ、左接眼レンズ１ｂに対応する複数の視野中心の並び方向に対し直交する方向の幅が変化する切り欠き１１ａを有し、並び方向に移動させ各視野に入射する全光量を調整しつつ各視野間の光量を微調するクサビ絞り１１を備える。【選択図】      図１
2004317745.tif 000002
【特許請求の範囲】
【請求項１】
被観察用試料に臨んで面的に均一な光を照射する透過用面光源を有し、少なくとも該被観察用試料を透過した光を用いて該被観察用試料を観察する顕微鏡装置であって、
前記透過用面光源と前記被観察用試料との間に設けられ、前記透過用面光源から照射される光の光軸に垂直であって複数の接眼レンズに対応する複数の視野中心の並び方向に対し直交する方向の幅が変化する切り欠きを有し、前記並び方向に移動させ各視野間の光量を調整する光量調整手段を備えたことを特徴とする顕微鏡装置。
【請求項２】
前記光量調整手段は、前記並び方向に移動させ各視野に入射する全光量を調整しつつ各視野間の光量を調整することを特徴とする請求項１に記載の顕微鏡装置。
【請求項３】
前記光量調整手段の切り欠きの幅は、前記並び方向に対して単調に変化することを特徴とする請求項１または２に記載の顕微鏡装置。
【請求項４】
前記光量調整手段の切り欠きの幅は、前記並び方向に対して連続的に変化することを特徴とする請求項１〜３のいずれか一つに記載の顕微鏡装置。
【請求項５】
蛍光を発する被観察用試料と蛍光を発しない被観察用試料との両方が視認できることを特徴とする請求項１〜４のいずれか一つに記載の顕微鏡装置。
【請求項６】
蛍光を発しない異なる複数の被観察用試料を視認できることを特徴とする請求項１〜５のいずれか一つに記載の顕微鏡装置。
【請求項７】
蛍光を発しない被観察用試料と培地を視認できることを特徴とする請求項１〜６のいずれか一つに記載の顕微鏡装置。
【請求項８】
前記面光源からの照射光が通過する各視野間の面積比は、１．０３：１〜１．３：１の範囲であることを特徴とする請求項１〜７のいずれか一つに記載の顕微鏡装置。
【請求項９】
前記光量調整手段の切り欠き形状は、Ｖ字形状であることを特徴とする請求項１〜８のいずれか一つに記載の顕微鏡装置。
【請求項１０】
前記切り欠きの開き角は、１０°〜４５°の範囲であることを特徴とする請求項９に記載の顕微鏡装置。
【請求項１１】
前記光量調整手段と前記被観察用試料との間の距離は、２０〜６０ｍｍの範囲であることを特徴とする請求項１〜１０のいずれか一つに記載の顕微鏡装置。
【請求項１２】
前記被観察用試料と、該被観察用試料から各視野に対応する複数の接眼レンズに向かう光軸の傾斜角は、１０°〜１５°の範囲であることを特徴とする請求項１〜１１のいずれか一つに記載の顕微鏡装置。
【請求項１３】
前記光量調整手段は、２つの遮光体片を有し、一つの軸を中心に各遮光体片が回動し、各遮光体片が形成する空間によって前記切り欠きを形成し、前記切り欠きの開き角を連続可変動作させることを特徴とする請求項１〜１２のいずれか一つに記載の顕微鏡装置。
【請求項１４】
前記光量調整手段は、前記切り欠きを前記面光源に対して傾斜させ、前記切り欠きの開き角を連続可変動作させることを特徴とする請求項１〜１２のいずれか一つに記載の顕微鏡装置。
【発明の詳細な説明】
【０００１】
【発明の属する技術分野】
この発明は、蛍光実体顕微鏡を含む実体顕微鏡などの顕微鏡装置に関し、特に、簡易に、蛍光を発する観察試料と、蛍光を発しない観察試料とを同時に分別して観察することができる顕微鏡装置に関するものである。
【０００２】
【従来の技術】
従来から、実体顕微鏡は、小さな観察試料から大きな観察試料までを立体的に観察でき、しかも、観察試料が生物である場合には、生きたまま観察することができるため、生物化学分野での研究用に多用されている。
【０００３】
しかし、異なった薄い観察試料が混在する場合、観察試料とバックグラウンドとのコントラストが付かず、複数の観察試料を分別することが難しい。
【０００４】
そこで、従来の実体顕微鏡では、面的に均一な光を発する面光源と被観察試料との間に遮光体を設け、対物レンズに直接入射する面光源からの照明光を連続的に調節して複数の観察試料を分別できるようにしている（特許文献１参照）。
【０００５】
【特許文献１】
特開平１１−１３３３０８号公報
【０００６】
【発明が解決しようとする課題】
しかしながら、上述した従来の実体顕微鏡では、面光源からの照明光の調節量が微量であるため、そのための駆動機構などを設ける必要があるとともに、遮光体形状が複雑であるという問題点があった。
【０００７】
一方、蛍光実体顕微鏡では、特定の観察試料に蛍光を発するＧＦＰ（Ｇｒｅｅｎ  Ｆｌｕｏｒｅｓｃｅｎｔ  Ｐｒｏｔｅｉｎ）染色を施し、その後、蛍光を発するための励起光を照射し、観察試料が発した蛍光によって、薄い異なった観察試料を観察できるようにしている。
【０００８】
しかし、観察試料から発する蛍光の光量は、自然光に比較して極端に少ないため、蛍光を発する観察試料（以下、蛍光観察試料と称す。）を観察する場合、この自然光を遮断してバックグランドの光量を少なくする必要がある。一方、バックグランドの光量を少なくすると、蛍光を発しない観察試料（以下、非蛍光観察試料と称す。）は、コントラストが付かないため、視認できないという問題点があった。
【０００９】
たとえば、線虫は、全細胞系譜が既知であるため、遺伝子の発現パターンを研究する上で有用とされている。そして、観察対象とする特定の線虫にＧＦＰ染色を施すことによって、生きた線虫の生態観察を行うことができる。
【００１０】
しかし、培地では、ＧＦＰ染色されている線虫と、ＧＦＰ染色されていない線虫とが混在し、ＧＦＰ染色されている線虫のみを採取する場合、ＧＦＰ染色されていない線虫を視認できない、あるいはＧＦＰ染色されている線虫とＧＦＰ染色されていない線虫とが分別できないため、ＧＦＰ染色されている線虫の近傍に位置するＧＦＰ染色されていない線虫をも採取することになってしまい、観察試料の採取を正確に行うことができないという問題点があった。
【００１１】
この発明は上記に鑑みてなされたものであって、蛍光観察試料と非蛍光観察試料とが混在する場合であっても、これらの確実な分別を簡易に行うことができる顕微鏡装置を提供することを目的とする。
【００１２】
【課題を解決するための手段】
上記目的を達成するため、請求項１にかかる顕微鏡装置は、被観察用試料に臨んで面的に均一な光を照射する透過用面光源を有し、少なくとも該被観察用試料を透過した光を用いて該被観察用試料を観察する顕微鏡装置であって、前記透過用面光源と前記被観察用試料との間に設けられ、前記透過用面光源から照射される光の光軸に垂直であって複数の接眼レンズに対応する複数の視野中心の並び方向に対し直交する方向の幅が変化する切り欠きを有し、前記並び方向に移動させ各視野間の光量を調整する光量調整手段を備えたことを特徴とする。
【００１３】
この請求項１の発明によれば、透過用面光源から照射される光の光軸に垂直であって複数の接眼レンズに対応する複数の視野中心の並び方向に対し直行する方向の幅が変化する切り欠きを有し、各視野間に入射する光量に差を設けるようにし、たとえば蛍光を発する被観察用試料と蛍光を発しない被観察用試料とが混在する場合であっても、蛍光を発しない被観察用試料に対して確実にコントラストを付け、視認できるようにし、蛍光を発する被観察用試料と蛍光を発しない被観察用試料との分別が確実にできるようにしている。
【００１４】
また、請求項２にかかる顕微鏡装置は、上記の発明において、前記光量調整手段は、前記並び方向に移動させ各視野に入射する全光量を調整しつつ各視野間の光量を調整することを特徴とする。
【００１５】
また、請求項３にかかる顕微鏡装置は、上記の発明において、前記光量調整手段の切り欠きの幅は、前記並び方向に対して単調に変化することを特徴とする。
【００１６】
また、請求項４にかかる顕微鏡装置は、上記の発明において、前記光量調整手段の切り欠きの幅は、前記並び方向に対して単調に変化することを特徴とする。
【００１７】
また、請求項５にかかる顕微鏡装置は、上記の発明において、蛍光を発する被観察用試料と蛍光を発しない被観察用試料との両方が視認できることを特徴とする。
【００１８】
また、請求項６にかかる顕微鏡装置は、上記の発明において、蛍光を発しない異なる複数の被観察用試料を視認できることを特徴とする。
【００１９】
また、請求項７にかかる顕微鏡装置は、上記の発明において、蛍光を発しない被観察試料と培地を視認できることを特徴とする。
【００２０】
また、請求項８にかかる顕微鏡装置は、上記の発明において、前記面光源からの照射光が通過する各視野間の面積比は、１．０３：１〜１．３：１の範囲であることを特徴とする。
【００２１】
また、請求項９にかかる顕微鏡装置は、上記の発明において、前記光量調整手段の切り欠き形状は、Ｖ字形状であることを特徴とする。
【００２２】
また、請求項１０にかかる顕微鏡装置は、上記の発明において、前記切り欠きの開き角は、１０°〜４５°の範囲であることを特徴とする。
【００２３】
また、請求項１１にかかる顕微鏡装置は、上記の発明において、前記光量調整手段と前記被観察用試料との間の距離は、２０〜６０ｍｍの範囲であることを特徴とする。
【００２４】
また、請求項１２にかかる顕微鏡装置は、上記の発明において、前記被観察用試料と、該被観察用試料から各視野に対応する複数の接眼レンズに向かう光軸の傾斜角は、１０°〜１５°の範囲であることを特徴とする。
【００２５】
また、請求項１３にかかる顕微鏡装置は、上記の発明において、前記光量調整手段は、２つの遮光体片を有し、一つの軸を中心に各遮光体片が回動し、各遮光体片が形成する空間によって前記切り欠きを形成し、前記切り欠きの開き角を連続可変動作させることを特徴とする。
【００２６】
また、請求項１４にかかる顕微鏡装置は、上記の発明において、前記光量調整手段は、前記切り欠きを前記面光源に対して傾斜させ、前記切り欠きの開き角を連続可変動作させることを特徴とする。
【００２７】
【発明の実施の形態】
以下に、図面を参照してこの発明にかかる顕微鏡装置の実施の形態について説明する。
【００２８】
この発明の実施の形態について説明する。図１は、この発明の実施の形態１にかかる顕微鏡装置の概要構成を示す図である。図１において、この顕微鏡装置は、蛍光実体顕微鏡であり、透過用面光源９、減光フィルタ１０、クサビ絞り１１、吸収フィルタ８、顕微鏡本体２、右眼接眼レンズ１ａ，左眼接眼レンズ１ｂを含む光学系と、ライトガイド６、励起フィルタ７、吸収フィルタ８を含む蛍光光学系とを有する。
【００２９】
光学系では、透過用面光源９が面的に均一な光を発し、この光は、減光フィルタ１０で減光され、クサビ絞り１１によって左眼と右眼との視野に対応する光量比に調整され、試料台３に配置された観察試料１６，２４を透過し、さらに吸収フィルタ８によって蛍光帯域のみをフィルタリングして散乱光が除去され、顕微鏡本体２を介して右眼接眼レンズ１ａおよび左眼接眼レンズ１ｂに到達する。
【００３０】
一方、蛍光光学系では、観察試料に染色された試料が形成した蛍光色素に対応する励起光が図示しない励起光源から発せられ、この励起光は、フレキシブルなライトガイド６を介して導波され、励起フィルタ７を介して励起光のみがフィルタリングされて観察試料１６，２４に照射される。観察試料１６，２４のうちの蛍光部分からの蛍光は、吸収フィルタ８を介して蛍光帯域の光のみがフィルタリングされ、顕微鏡本体２を介して右眼接眼レンズ１ａおよび左眼接眼レンズ１ｂに到達する。
【００３１】
ここで、準焦ハンドル４は、焦点合わせのつまみであり、変倍ハンドル５は、倍率合わせのつまみであり、それぞれ観察者によって調整される。また、透過用面光源９の発光側上面には、減光フィルタ１０およびクサビ絞り１１が順次配置され、試料台３の下部に設置される。なお、吸収フィルタ８は、蛍光光学系を用いないときは外すようにしてもよい。
【００３２】
クサビ絞り１１は、透過用面光源９から照射される光の光軸に垂直であって右眼接眼レンズ１ａおよび左眼接眼レンズ１ｂに対応する複数の視野１１Ａ，１１Ｂ（図２参照）中心の並び方向に対し直交する方向の幅が単調に変化するクサビ形状の切り欠き１１ａを有する。この切り欠き１１ａによって、減光フィルタ１０を介して照射される透過用面光源９からの光は、異なる光通過領域である面積ＳＡ，ＳＢを介してそれぞれ右眼接眼レンズ１ａおよび左眼接眼レンズ１ｂに到達する。したがって、右眼接眼レンズ１ａおよび左眼接眼レンズ１ｂに到達する光量は異なることになり、右眼接眼レンズ１ａに到達する光量が左眼接眼レンズ１ｂに到達する光量に比して多くなる。
【００３３】
また、クサビ絞り１１は、減光フィルタ１０上において並び方向にスライドが可能である。したがって、クサビ絞り１１をスライドすることによって視野１１Ａ，１１Ｂの各透過面積ＳＡ，ＳＢの比を変化させることができるとともに、各透過面積ＳＡ，ＳＢを介したトータルの光量をも変化させることができる。そして、このクサビ絞り１１を用いると、観察者によるスライド調整であっても、光量およびコントラストの調整を極めて微細に行うことができる。
【００３４】
ここで、図２を参照して、実体顕微鏡における観察試料１６にコントラストを付けることによる立体視について説明する。図２において、右眼接眼レンズ１ａおよび左眼接眼レンズ１ｂは観察試料１６に対して傾斜視する構成となっており、その結果、上述したようにクサビ絞り１１上では、右眼接眼レンズ１ａに対応した視野１１Ａおよび左眼接眼レンズ１ｂに対応した視野１１Ｂが形成される。
【００３５】
視野１１Ａはクサビ絞り１１によって遮光される部分が少ないため、クサビ絞り１１の下方から入射した照射光は透過面積ＳＡに対応し、殆ど減光されずに右眼接眼レンズ１ａ側に送られる。一方、視野１１Ｂはクサビ絞り１１によって遮光される部分が多いため、クサビ絞り１１の下方から入射した照射光は透過面積ＳＢに対応し、減光されて左眼接眼レンズ１ｂ側に送られる。なお、図２では、視野１１Ａがクサビ絞り１１に遮光される部分がなく、視野１１Ａの面積そのものが透過面積ＳＡに等しくなっているが、これに限らず、視野１１Ｂと同様にクサビ絞り１１によって遮光される状態もある。
【００３６】
さて、観察者の右眼は、右眼接眼レンズ１ａを介して右眼像１３を見ることになり、観察者の左眼は、左眼接眼レンズ１ｂを介して左眼像１２を見ることになる。観察試料１６自体は薄いため、観察試料１６を透過する光量とバックグラウンドの光量との光量差が少なく、右眼像１３と左眼像１２との各単眼像だけでは、観察試料１６を視認することはできない。この場合、各単眼像だけでは、傾斜視の効果による僅かな影が観察試料１６の片側に視認されるのみである。
【００３７】
右眼像１３と左眼像１２とを比較すると、右眼像１３は減光が少ないため、全体的に明るい画像となり、左眼像１２は減光が多いため、全体的に暗い画像となる。しかし、上述したように、観察試料１６を斜傾視すると、右眼像１３は、左眼像１２では視認されなかった観察試料１６輪郭の一部に影が視認され、逆に、左眼像１２は、右眼像１３では視認されなかった観察試料１６輪郭の一部に影が視認される。
【００３８】
そして、観察者は、脳内において左右両眼の瞳を介して得られた右眼像１３と左眼像１２とを合成して合成像１４を認識する。この合成像１４は、右眼像１３の各部の光量と左眼像１２の各部の光量とが加算されたものとして認識されることになる。
【００３９】
したがって、合成像１４は、全体的に左眼像１２よりは明るく、右眼像１３よりは暗くなる。そして、合成像１４では、右眼像１３と左眼像１２とによって視認された観察試料１６輪郭の一部の影が合成される。この合成された影によって観察試料１６の輪郭全体に影が形成される。この結果、この観察試料１６の輪郭全体に形成された影とバックグラウンドの光との対比によって、観察試料１６の輪郭全体にコントラストが付くことになる。そして、このコントラストが付くことによって、観察者は観察試料１６を物体として視認し、かつ立体像として認識することになる。
【００４０】
ところで、この実施の形態では、図１に示したように、ＧＦＰ染色を施されて蛍光を発する線虫である蛍光観察試料２４と、ＧＦＰ染色を施されず蛍光を発しない線虫である非蛍光観察試料１６とが混在しているシャーレ２３が試料台３上に載置されている。そして、観察者は、右眼接眼レンズ１ａおよび左眼接眼レンズ１ｂを通して得られる画像を観察することによって蛍光観察試料２４と非蛍光観察試料１６とを分別し、観察しつつ、シャーレ２３から蛍光観察試料２４のみを採取する。
【００４１】
ここで、蛍光観察試料２４は、自ら発する蛍光の光量と透過用面光源９からの光のうち蛍光観察試料２４を透過した光量との合成光量をもち、非蛍光観察試料１６は、透過用面光源９からの光のうち非蛍光観察試料１６を透過した光量のみをもつことになる。
【００４２】
そして、蛍光観察試料２４から発する蛍光の光量は少ないため、蛍光観察試料２４を視認するためには、透過用面光源９の光量調整や減光フィルタ１０の減光量調整などによってバックグラウンドの光量を抑える。非蛍光観察試料１６はバックグラウンドの光量に関わらずコントラストがついていないため視認できない。また、非蛍光観察試料１６はバックグラウンドの光量を抑えすぎると、たとえコントラストがついても視認できない。そこで、この実施の形態において、観察者は、減光フィルタ１０の減光量調整と、クサビ絞り１１を用いて、非蛍光試料１６の合成像１４に上述した影を形成し、輪郭全体にコントラストを付け、立体像を認識するようにしている。すなわち、観察者は、蛍光観察試料２４については、バックグラウンドとの光量差により、また、非蛍光観察試料１６については、その輪郭全体に付けられたコントラストにより、蛍光観察試料２４と非蛍光観察試料１６とを確実に同時分別できるようにしている。
【００４３】
さらに、図３を参照して、この確実な分別について詳細に説明する。なお、図３において、非視認領域２２とは、光量が少ないために人間の脳が観察試料を認識することができない領域である。また、分別領域２１とは、光量が適度であるため、人間の脳が各観察試料を個別に認識できる領域をいう。さらに、非分別領域２０とは、光量が多すぎるために、人間の脳が観察試料を認識できるが、各観察試料を個別に認識できない領域をいう。なお、上記した各領域の範囲と光量との関係は絶対的なものではなく、相対的なものであって、後述するように、クサビ絞り１１によって観察試料にコントラストを付け、分別領域を拡大させるようにしている。
【００４４】
図３（ａ）は、蛍光観察試料２４を分別できるようにするために、減光フィルタ１０を用いて、バックグラウンドの光量を抑えて、蛍光観察試料２４からの光量１８を分別領域２１に入るように調整した場合を示したものである。この場合、非蛍光観察試料１６からの光量１９が非視認領域２２に没してしまい、非蛍光観察試料１６の存在は破線で示すように認識できなくなる。したがって、この場合、非蛍光観察試料１６と蛍光観察試料２４とを分別できない。
【００４５】
図３（ｂ）は、クサビ絞り１１を減光フィルタ１０上面に挿入することによって、非蛍光観察試料１６にコントラストを付け、その結果、非蛍光観察試料１６が分別領域２１に入る場合を示したものである。遮光体の一種であるクサビ絞り１１を減光フィルタ１０の上面に挿入すると、蛍光観察試料２４からの光量１８と、非蛍光観察試料１６からの光量１９を共に減少させるが、同時に観察試料、とくに非蛍光観察試料１６に対して実線で示すようにコントラストが付けられ、実質的な分別領域２１が拡大される。この分別領域２１の拡大幅は、バックグラウンドの光量の減少幅よりも大きいため、光量１８の蛍光観察試料２４は、一層分別し易くなり、光量１９の非蛍光観察試料１６は、分別領域２１に入って、蛍光観察試料２４と非蛍光分別試料１６との同時分別が可能となる。
【００４６】
ここで、実際に、確実に非蛍光観察試料１６と蛍光観察試料２４とを分別することができたクサビ絞り１１を規定するパラメータの範囲について説明する。まず、図４に示すように、クサビ絞り１１の切り欠き１１ａの開き角を「α」、観察試料を傾斜視する光軸間の傾斜角を「β」、クサビ絞り１１と試料台３との距離を「Ｌ」とする。
【００４７】
ここで、実際の顕微鏡装置において、傾斜角βおよび距離Ｌの値を大きく変化させることができず、図５に示すように、開き角αと、これに対応する視野１１Ａ，１１Ｂの光の各透過面積ＳＡ，ＳＢとの関係によって、非蛍光観察試料１６と蛍光観察試料２４とを分別できる範囲を求めた。その結果、開き角αの値が１０°〜４５°と変化し、透過面積比ＳＡ：ＳＢが１．０３：１〜１．３：１となったときに、非蛍光観察試料１６と蛍光観察試料２４とを確実に分別することができた。
【００４８】
さらに、開き角αの値と、透過面積比ＳＡ：ＳＢの値とを規定した場合、他のパラメータ、すなわち傾斜角βおよび距離Ｌはつぎの範囲の値であった。すなわち、
β＝１０°〜１５°
Ｌ＝２０〜６０ｍｍ
である。
【００４９】
また、非蛍光観察試料１６と蛍光観察試料２４との分別を確実にできる最良のパラメータ値の組み合わせはつぎのときであることを確認した。すなわち、
α＝１５°
β＝１０°
Ｌ＝２７ｍｍ
ＳＡ：ＳＢ＝１．０５：１
である。
【００５０】
この実施の形態では、クサビ絞り１１を用い、このクサビ絞り１１の移動調整によって、非蛍光観察試料１６と蛍光観察試料２４とを確実に分別することができる。具体的には、ＧＦＰ染色された線虫と、染色されていない線虫とが近傍に混在しても、ＧＦＰ染色された線虫のみを確実に採取できることができる。
【００５１】
ところで、上述した実施の形態では、複数のクサビ絞り１１を有し、これらの中から開き角αが適切なものを選択するようにしていたが、この開き角を可変にした一つのクサビ絞りを用いるようにしてもよい。これによって、個別の各観察試料、特に蛍光量や透過光量の違いに対応した最適な開き角αを設定選択することができ、最良の分別を確実かつ簡易に行うことができる。
【００５２】
図６は、開き角αの可変動作が可能なクサビ絞りの一例を示す構成図であり、図６（ａ）は、その平面図を示し、図６（ｂ）は、その正面図を示す。このクサビ絞り３０は、２枚のクサビ絞り片３０ａ，３０ｂを重ね合わせ、軸３１を中心に回動できるようにしている。したがって、クサビ絞り片３０ａ，３０ｂを、軸３１を中心に回動することによって開き角αを任意に設定することができる。
【００５３】
また、図７は、開き角αの可変動作が可能なクサビ絞りの一例を示す構成図であり、図７（ａ）は、その平面図を示し、図７（ｂ）は、その正面図を示す。このクサビ絞り４０は、クサビ絞り１１と同じ形状を有するが、切り欠きの幅が狭い長手方向の一端に軸４１を設け、軸４１を中心に、切り欠きが光軸方向に回動するようにしている。この回動によって、切り欠きの形状は、照射光に対して実質的に変化し、切り欠きの開き角αを任意に設定することができる。
【００５４】
さらに、図８は、開き角αの可変動作が可能なクサビ絞りの一例を示す構成図であり、図８（ａ）は、その平面図を示し、図８（ｂ）は、その正面図を示す。このクサビ絞り５０は、クサビ絞り１１と同じ形状を有するが、切り欠きの中心線であって切り欠きの幅が狭くなる側に軸５１を設け、軸５１を中心に、切り欠きが回動するようにしている。この回動によって、切り欠きの形状は、照射光に対して実質的に変化し、切り欠きの開き角αを任意に設定することができる。
【００５５】
なお、上述したクサビ絞り３０，４０，５０を適宜組み合わせたものであってもよい。各クサビ絞り３０，４０，５０の開き角αは、回動操作量に対して異なる変位を示し、これらを組み合わせることによって、さらに柔軟に開き角αを設定することができる。
【００５６】
また、上述した実施の形態では、いずれもクサビ絞り１１，３０，４０，５０の切り欠きは、直線状であってその幅が単調に変化するものであったが、これに限らず、たとえば、切り欠きの辺が曲線状となり、内側に凸あるいは外側に凸の形状をなし、その幅が単調に変化するものであってもよい。さらに、連続形状でなく、段階的にその幅が変化するものであってもよい。要は、クサビ絞り１１，３０，４０，５０の移動、回動に伴って各視野における通過光量の微調整を行うことができればよい。
【００５７】
【発明の効果】
以上に説明したように、この発明によれば、蛍光観察試料と非蛍光観察試料とが混在する場合であっても、これらの確実な分別を簡易に行うことができるという効果を奏する。
【００５８】
また、この発明によれば、クサビ絞りの開き角に可変動作を備えることによって、観察試料を観察しながら適度な減光を行うことが可能となり、クサビ絞りを観察の都度変更する必要が無くなり、観察のためのコストと時間が低減できるという効果を奏する。
【図面の簡単な説明】
【図１】この発明の実施の形態である顕微鏡装置の構成を示す構成概略図である。
【図２】この発明の実施の形態である顕微鏡装置における立体視について説明する説明図である。
【図３】この発明の実施の形態である顕微鏡装置における分別領域について説明する説明図である。
【図４】この発明の実施の形態である顕微鏡装置におけるパラメータ範囲を説明する説明図である。
【図５】この発明の実施の形態である顕微鏡装置におけるパラメータ範囲を説明する説明図である。
【図６】この発明の実施の形態である顕微鏡装置のクサビ絞りの一例を示す構成図である。
【図７】この発明の実施の形態である顕微鏡装置のクサビ絞りの一例を示す構成図である。
【図８】この発明の実施の形態である顕微鏡装置のクサビ絞りの一例を示す構成図である。
【符号の説明】
１ａ  右眼接眼レンズ
１ｂ  左眼接眼レンズ
２    顕微鏡本体
３    試料台
４    準焦ハンドル
５    変倍ハンドル
６    ライトガイド
７    励起フィルタ
８    吸収フィルタ
９    透過用面光源
１０  減光フィルタ
１１，３０，４０，５０  クサビ絞り
１１ａ  切り欠き
１１Ａ，１１Ｂ  視野
１２  左眼像
１３  右眼像
１４  合成像
１６  観察試料（非蛍光観察試料）
１８，１９  光量
２０  非分別領域
２１  分別領域
２２  非視認領域
２３  シャーレ
２４  観察試料（蛍光観察試料）
３０ａ，３０ｂ  クサビ絞り片
３１，４１，５１  軸
【図１】
2004317745.tif 000003
【図２】
2004317745.tif 000004
【図３】
2004317745.tif 000005
【図４】
2004317745.tif 000006
【図５】
2004317745.tif 000007
【図６】
2004317745.tif 000008
【図７】
2004317745.tif 000009
【図８】
2004317745.tif 000010